(57)【要約】【課題】本発明は、電子機器に関するもので、制御基板に対するシールド性能を向上させることを目的とするものである。【解決手段】制御基板に対するシールド性能を向上させる目的を達成するために、本発明は、前記本体ケース１と、放熱板５と、第二のカバー３を金属板によって形成するとともに、前記第二のカバー３と、放熱板５の少なくとも一方には、光ディスク回転部４と、第一のカバー２間の外周部分に延長された放熱フィン７を設けた。【選択図】図２
2013149330.tif 000002
【特許請求の範囲】
【請求項１】
一端側と他端側に開口部を有する枠状の本体ケースと、この本体ケースの前記一端側開口部に装着された第一のカバーと、前記本体ケースの他端側開口部に装着された第二のカバーと、前記第一、第二のカバーの間における前記本体ケース内に、前記第一のカバー側から第二のカバー側に向けて順次配置した板状の光ディスク回転部、板状の放熱板、および、制御基板とを備え、前記本体ケースと、放熱板と、第二のカバーを金属板によって形成するとともに、前記第二のカバーと、放熱板の少なくとも一方には、光ディスク回転部と、第一のカバー間の外周部分に延長された放熱フィンを設けた電子機器。
【請求項２】
本体ケースの光ディスク回転部と、第一のカバー間に対応する部分には、吹き出し口を設けた請求項１に記載の電子機器。
【請求項３】
本体ケースを矩形状とし、そのコーナー部分に吹き出し口を設けた請求項２に記載の電子機器。
【請求項４】
放熱フィンは、本体ケースの内面に当接させた請求項１から３のいずれか一つに記載の電子機器。
【発明の詳細な説明】
【技術分野】
【０００１】
本発明は、光ディスク再生装置等の電子機器に関するものである。
【背景技術】
【０００２】
従来の電子機器の一例である光ディスク再生装置では、一端側と他端側に開口部を有する枠状の本体ケースと、この本体ケースの前記一端側開口部に装着された第一のカバーと、前記本体ケースの他端側開口部に装着された第二のカバーと、前記第一、第二のカバーの間における前記本体ケース内に、前記第一のカバー側から第二のカバー側に向けて順次配置した板状の光ディスク回転部、および、制御基板とを備えた構成となっている。
【０００３】
そして、前記光ディスク回転部に設けた光ディスクの外周から吹き出される風を放熱フィンに吹き付けることで前記制御基板の冷却を行う構成となっていた（例えば下記特許文献１）。
【先行技術文献】
【特許文献】
【０００４】
【特許文献１】特開２００７−６６４０１号公報
【発明の概要】
【発明が解決しようとする課題】
【０００５】
上記従来例においては、前記光ディスク回転部に設けた光ディスクの外周から吹き出される風を放熱フィンに吹き付けることで前記制御基板の冷却を行う構成となっていたので、制御基板としての機能は安定的に行えるようになっていた。
【０００６】
しかしながら、本体ケースには、光ディスクの挿入口などを設けなければならないので、例えば、この挿入口から前記制御基板からのノイズが本体ケース外に放出されたり、または、外部のノイズが挿入口から本体ケース内に侵入したりすることが課題となっている。
【０００７】
そこで本発明は、シールド性能を向上させることを目的とする。
【課題を解決するための手段】
【０００８】
そして、この目的を達成するために本発明は、一端側と他端側に開口部を有する枠状の本体ケースと、この本体ケースの前記一端側開口部に装着された第一のカバーと、前記本体ケースの他端側開口部に装着された第二のカバーと、前記第一、第二のカバーの間における前記本体ケース内に、前記第一のカバー側から第二のカバー側に向けて順次配置した板状の光ディスク回転部、板状の放熱板、および、制御基板とを備え、前記本体ケースと、放熱板と、第二のカバーを金属板によって形成するとともに、前記第二のカバーと、放熱板の少なくとも一方には、光ディスク回転部と、第一のカバー間の外周部分に延長された放熱フィンを設けた構成とし、これにより所期の目的を達成するものである。
【発明の効果】
【０００９】
以上のように、本発明は、一端側と他端側に開口部を有する枠状の本体ケースと、この本体ケースの前記一端側開口部に装着された第一のカバーと、前記本体ケースの他端側開口部に装着された第二のカバーと、前記第一、第二のカバーの間における前記本体ケース内に、前記第一のカバー側から第二のカバー側に向けて順次配置した板状の光ディスク回転部、板状の放熱板、および、制御基板とを備え、前記本体ケースと、放熱板と、第二の
カバーを金属板によって形成するとともに、前記第二のカバーと、放熱板の少なくとも一方には、光ディスク回転部と、第一のカバー間の外周部分に延長された放熱フィンを設けたので、シールド性能を向上させることができる。
【００１０】
すなわち、本発明においては、制御基板を板状の放熱板と第二のカバーとの間に配置するとともに、その外周部分には本体ケースを配置し、これらの板状の放熱板、第二のカバー、本体ケースを金属板によって形成したので、つまり、制御基板の外周を金属板によって覆ったので、シールド性能を向上させることができるのである。
【００１１】
また、本発明においては、前記第二のカバーと、放熱板の少なくとも一方には、光ディスク回転部と、第一のカバー間の外周部分に延長された放熱フィンを設けたので、上述の如く制御基板の外周を金属製板によって覆ったとしても、制御基板の発熱は放熱フィンを介して光ディスクからの送風で放熱させることができ、その結果として、制御基板における動作が安定するものとなる。
【図面の簡単な説明】
【００１２】
【図１】本発明の一実施形態における電子機器の斜視図
【図２】同分解斜視図
【図３】同要部の斜視図
【図４】同要部の斜視図
【図５】同要部の斜視図
【図６】同要部の斜視図
【発明を実施するための形態】
【００１３】
以下、本発明の実施の形態を添付図面を用いて説明する。
【００１４】
（実施の形態１）
図１において、１は一端側（上面側）と他端側（下面側）に開口部を有する枠状の本体ケースで、図１、図２に示す如く、この本体ケース１の前記一端側開口部には、第一のカバー２、前記本体ケース１の他端側開口部には、第二のカバー３が装着されている。
【００１５】
また、前記第一、第二のカバー２、３間における前記本体ケース１内には、図２から図６に示すように、前記第一のカバー２側から第二のカバー３側に向けて順次、板状の光ディスク回転部４、板状の放熱板５、および、制御基板６が配置されている。
【００１６】
なお、前記本体ケース１と、放熱板５と、第二のカバー３を金属板によって形成するとともに、放熱板５には、図３に示す如く、光ディスク回転部４と、第一のカバー２間の外周部分に延長された放熱フィン７を設けている。
【００１７】
また、図３に示す如く、本体ケース１の光ディスク回転部４と、第一のカバー２間に対応する部分には、吹き出し口８を設けている。
【００１８】
具体的には、本体ケース１を矩形状となっているので、そのコーナー部分に吹き出し口８を設けた構成となっている。
【００１９】
さらに、放熱フィン７は、図５に示す如く、本体ケース１の内面に当接させられている。
【００２０】
上記構成において、光ディスク回転部４には、図３に示す如く、円板状の光ディスク９が装着され、この光ディスク９に記録された情報は、図４に示す光ピックアップ１０によ
って読み出され、その後、再生されるようになっている。
【００２１】
そして、このような光ディスク９の回転や光ピックアップ１０のよる信号の読み出し、さらに、再生は、制御基板６によって行われるようになっている。
このため、制御基板６からは、ノイズが放出される惧れがあるが、本実施形態においては、制御基板６を板状の放熱板５と第二のカバー３との間に配置するとともに、その外周部分には本体ケース１を配置し、これらの板状の放熱板５、第二のカバー３、本体ケース１を金属板によって形成したので、つまり、制御基板６の外周を金属板によって覆った。このため、制御基板６から本体ケース１外へのノイズの放出が抑制され、また、外部からのノイズが制御基板６に侵入することも抑制され、これによりシールド性能を向上させることができるのである。
【００２２】
また、本実施形態においては、放熱板５には、光ディスク回転部４と、第一のカバー２間の外周部分に延長された放熱フィン７を設けたので、上述の如く制御基板６の外周を金属製板によって覆ったとしても、制御基板６の発熱は放熱フィン７を介して光ディスク９からの送風で放熱させることができ、その結果として、制御基板６における動作が安定するものとなる。
【００２３】
なお、上記実施形態においては、放熱フィン７を放熱板５に設けたが、第二のカバー３に設けてもよい。
【００２４】
そして、以上のような構成により、制御基板６の放熱は、放熱板５、放熱フィン７、第二のカバー３から行われるようになるのである。
【００２５】
また、光ディスク９からの風は、冷却フィン７を冷却した後に、吹き出し口８から本体ケース１外に放出されるようになっている。
【産業上の利用可能性】
【００２６】
以上のように、本発明においては、制御基板を板状の放熱板と第二のカバーとの間に配置するとともに、その外周部分には本体ケースを配置し、これらの板状の放熱板、第二のカバー、本体ケースを金属板によって形成したので、つまり、制御基板の外周を金属板によって覆ったので、シールド性能を向上させることができるのである。
【００２７】
また、本発明においては、前記第二のカバーと、放熱板の少なくとも一方には、光ディスク回転部と、第一のカバー間の外周部分に延長された放熱フィンを設けたので、上述の如く制御基板の外周を金属製板によって覆ったとしても、制御基板の発熱は放熱フィンを介して光ディスクからの送風で放熱させることができ、その結果として、制御基板における動作が安定するものとなる。
【００２８】
したがって、車載用電子機器などとしての活用が期待されるものとなる。
【符号の説明】
【００２９】
１  本体ケース
２  第一のカバー
３  第二のカバー
４  光ディスク回転部
５  放熱板
６  制御基板
７  放熱フィン
８  吹き出し口
９  光ディスク
１０  光ピックアップ
【図１】
2013149330.tif 000003
【図２】
2013149330.tif 000004
【図３】
2013149330.tif 000005
【図４】
2013149330.tif 000006
【図５】
2013149330.tif 000007
【図６】
2013149330.tif 000008